(57)【要約】【課題】複数の無線基地局ｅＮＢ配下のセルを用いた「Ｉｎｔｅｒ-ｅＮＢ  ＣＡ」を行う場合に、移動局ＵＥの送信電力制御を適切に行う。【解決手段】本発明に係る移動通信システムでは、複数の無線基地局ｅＮＢ＃１/ｅＮＢ＃２のうちの特定の無線基地局ｅＮＢ＃１は、複数の無線基地局ｅＮＢ＃１/ｅＮＢ＃２配下の全てのセル＃１/＃２Ａ〜＃２Ｃにおける移動局ＵＥに対するスケジューリング制御及び送信電力制御を行うように構成されている。【選択図】図４
2015080065.tif 000002
【特許請求の範囲】
【請求項１】
移動局が、複数の無線基地局配下のセルを用いたキャリアアグリゲーションを行うことができるように構成されている移動通信システムであって、
前記複数の無線基地局のうちの特定の無線基地局は、該複数の無線基地局配下の全てのセルにおける前記移動局に対するスケジューリング制御及び送信電力制御を行うように構成されていることを特徴とする移動通信システム。
【請求項２】
前記特定の無線基地局は、マスター無線基地局であることを特徴とする請求項１に記載の移動通信システム。
【請求項３】
移動局が、複数の無線基地局配下のセルを用いたキャリアアグリゲーションを行うことができるように構成されている移動通信システムであって、
前記複数の無線基地局の各々は、自身の配下のセルにおける前記移動局に対するスケジューリング制御及び送信電力制御を行うように構成されており、
前記複数の無線基地局同士で、前記移動局に対するスケジューリング情報が交換されるように構成されており、
同一タイミングでは、１つの無線基地局のみが、前記移動局に対するスケジューリング制御を行うように構成されていることを特徴とする移動通信システム。
【請求項４】
前記スケジューリング情報は、前記移動局を介して交換されるように構成されていることを特徴とする請求項３に記載の移動通信システム。
【請求項５】
前記スケジューリング情報は、所定期間の間のみ有効であることを特徴とする請求項３に記載の移動通信システム。
【請求項６】
移動局が、複数の無線基地局配下のセルを用いたキャリアアグリゲーションを行うことができるように構成されている移動通信システムであって、
前記移動局は、所定変数が所定閾値以上変化した場合、該複数の無線基地局の少なくとも１つに対して、該所定変数の変化量を報告するように構成されており、
前記所定変数は、前記複数の無線基地局配下のセルの各々において前記移動局に対して割り当てられたリソースブロックの数、該複数の無線基地局配下のセルの各々における伝搬損、該複数の無線基地局配下のセルの各々で用いられている変調方式及び符号化率に基づいて決定される電力オフセット値、該複数の無線基地局配下のセルの各々で用いられている閉ループ送信電力制御用補正値を含むことを特徴とする移動通信システム。
【請求項７】
前記移動局は、前記複数の無線基地局の各々に対して、他の無線基地局に係る前記所定変数の変化量を報告するように構成されていることを特徴とする請求項６に記載の移動通信システム。
【請求項８】
移動局が、複数の無線基地局配下のセルを用いたキャリアアグリゲーションを行うことができるように構成されている移動通信システムであって、
前記複数の無線基地局配下のセルの各々における前記移動局の最大送信電力を低減するように構成されていることを特徴とする移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）方式では、移動局ＵＥ＃ｉは、図７（ａ）に示す式に従って、ＴＴＩ（Ｔｒａｎｓｍｉｓｓｉｏｎ  Ｔｉｍｅ  Ｉｎｔｅｒｖａｌ）ごとに、セル（或いは、ＣＣ：Ｃｏｍｐｏｎｅｎｔ  Ｃａｒｒｉｅｒ）＃ｃにおけるＰＵＳＣＨ（Ｐｈｙｓｉｃａｌ  Ｕｐｌｉｎｋ  Ｓｈａｒｅｄ  Ｃｈａｎｎｅｌ）上での送信電力ＰＰＵＳＣＨ，ｃ（ｉ）を決定するように構成されている。
【０００３】
図７（ａ）に示す式に含まれる変数のうち、Ｐｃｍａｘ，ｃ（ｉ）は、セル＃ｃにおける必要な電力バックオフを考慮した後の移動局ＵＥ＃ｉにおける最大送信電力であり、ＭＰＵＳＣＨ，ｃ（ｉ）は、セル＃ｃにおいて移動局ＵＥ＃ｉに対して割り当てられたリソースブロックの数であり、Ｐｏ_ＰＵＳＣＨ，ｃ（ｊ）は、セル＃ｃで報知されている基準の電力オフセット値であり、αｃ（ｊ）は、セル＃ｃで報知されているＦｒａｃｔｉｏｎａｌ  ＴＰＣ（Ｔｒａｎｓｍｉｓｓｉｏｎ  Ｐｏｗｅｒ  Ｃｏｎｔｒｏｌ）の傾斜値であり、ＰＬｃは、移動局ＵＥ＃ｉによって測定されたセル＃ｃにおける伝搬損（パスロス）であり、ΔＴＦ，ｃ（ｉ）は、移動局ＵＥ＃ｉにおいて用いられている変調方式及び符号化率に基づいて決定される電力オフセット値であり、ｆｃ（ｉ）は、移動局ＵＥ＃ｉにおいて用いられている閉ループパワコン補正値である。
【０００４】
無線基地局ｅＮＢにとって、図７（ａ）に示す式に含まれる変数のうち、伝搬損ＰＬｃが未知であるため、移動局ＵＥ＃ｉは、かかる伝搬損ＰＬｃが変わった際に、図７（ｂ）に示すように、ＰＨＲ（Ｐｏｗｅｒ  Ｈｅａｄｒｏｏｍ  Ｒｅｐｏｒｔ）をフィードバックするように構成されている。
【０００５】
ここで、ＰＨは、移動局ＵＥ＃ｉにおける最大送信電力Ｐｃｍａｘ，ｃ（ｉ）と、図７（ａ）に示す式によって算出された現在の移動局ＵＥ＃ｉにおける送信電力ＰＰＵＳＣＨ，ｃ（ｉ）との差分値であり、正の値又は負の値を取り得る。
【０００６】
また、ＬＴＥ方式の移動通信システムにおいて、図８（ａ）及び図８（ｂ）に示すように、既存の周波数（例えば、０.８/２ＧＨｚ）を用いるマクロセルのカバレッジ上に、スモールセルが展開されるオーバレイ構成が採用される可能性がある。
【０００７】
ここで、スモールセルは、図８（ａ）に示すように、マクロセルと同じ周波数で運用されてもよいし、図８（ｂ）に示すように、マクロセルとは異なる新たな周波数（例えば、３.５ＧＨｚ）で運用されていてもよい。
【０００８】
また、スモールセルは、マクロセルを管理する無線基地局ＭｅＮＢによって集中的に制御される光張り出し無線装置（ＲＲＥ）によって運用されていてもよいし、図８（ａ）及び図８（ｂ）に示すように、無線基地局ＭｅＮＢとは異なる無線基地局ＳｅＮＢによって運用されていてもよい。
【０００９】
ここで、無線基地局ＭｅＮＢ及び無線基地局ＳｅＮＢは、遅延時間の無視できない回線であるバックホールで接続されて相互に情報をやり取りするように構成されている。なお、バックホールの伝達遅延は、最大で、数１０ｍｓになる可能性もある。
【００１０】
さらに、ＬＴＥ方式のＲｅｌｅａｓｅ-１２では、ＬＴＥ方式のＲｅｌｅａｓｅ-１０までのＣＡ（Ｃａｒｒｉｅｒ  Ａｇｇｒｉｇａｔｔｉｏｎ）を拡張して、上述のバックホールで接続されている複数の無線基地局ｅＮＢ配下のセル（或いは、ＣＣ）を用いて同時通信を行うことで高いスループットを実現する「Ｉｎｔｅｒ-ｅＮＢ  ＣＡ」が行われることが検討されている（非特許文献１参照）。
【先行技術文献】
【非特許文献】
【００１１】
【非特許文献１】３ＧＰＰ寄書Ｒ２-１３１７８２
【発明の概要】
【発明が解決しようとする課題】
【００１２】
しかしながら、現在検討されている「Ｉｎｔｅｒ-ｅＮＢ  ＣＡ」では、複数の無線基地局ｅＮＢ間で、スケジューリング制御や送信電力制御が独立して行われるため、各無線基地局ｅＮＢが、移動局ＵＥ＃ｉの送信電力の状況を完全に把握することができないという問題点があった。
【００１３】
具体的には、図９（ａ）に示すように、各無線基地局ｅＮＢにとって、他の無線基地局ｅＮＢ配下のセルで用いられている変数、特に、リソースブロック数ＭＰＵＳＣＨ，ｃ（ｉ）や伝搬損ＰＬｃや電力オフセット値ΔＴＦ，ｃ（ｉ）や閉ループパワコン値ｆｃ（ｉ）が未知であるため、図９（ｂ）に示すように、各無線基地局ｅＮＢは、移動局ＵＥから、他の無線基地局ｅＮＢ配下のセルにおけるＰＨＲを受信しても、かかるセルにおける移動局ＵＥ＃ｉの送信電力の状況を推定することができないという問題点があった。
【００１４】
そこで、本発明は、上述の課題に鑑みてなされたものであり、複数の無線基地局ｅＮＢ配下のセルを用いた「Ｉｎｔｅｒ-ｅＮＢ  ＣＡ」を行う場合に、移動局ＵＥの送信電力制御を適切に行うことができる移動通信システムを提供することを目的とする。
【課題を解決するための手段】
【００１５】
本発明の第１の特徴は、移動局が、複数の無線基地局配下のセルを用いたキャリアアグリゲーションを行うことができるように構成されている移動通信システムであって、前記複数の無線基地局のうちの特定の無線基地局は、該複数の無線基地局配下の全てのセルにおける前記移動局に対するスケジューリング制御及び送信電力制御を行うように構成されていることを要旨とする。
【００１６】
本発明の第２の特徴は、移動局が、複数の無線基地局配下のセルを用いたキャリアアグリゲーションを行うことができるように構成されている移動通信システムであって、前記複数の無線基地局の各々は、自身の配下のセルにおける前記移動局に対するスケジューリング制御及び送信電力制御を行うように構成されており、前記複数の無線基地局同士で、前記移動局に対するスケジューリング情報が交換されるように構成されており、同一タイミングでは、１つの無線基地局のみが、前記移動局に対するスケジューリング制御を行うように構成されていることを要旨とする。
【００１７】
本発明の第３の特徴は、移動局が、複数の無線基地局配下のセルを用いたキャリアアグリゲーションを行うことができるように構成されている移動通信システムであって、前記移動局は、所定変数が所定閾値以上変化した場合、該複数の無線基地局の少なくとも１つに対して、該所定変数の変化量を報告するように構成されており、前記所定変数は、前記複数の無線基地局配下のセルの各々において前記移動局に対して割り当てられたリソースブロックの数、該複数の無線基地局配下のセルの各々における伝搬損、該複数の無線基地局配下のセルの各々で用いられている変調方式及び符号化率に基づいて決定される電力オフセット値、該複数の無線基地局配下のセルの各々で用いられている閉ループ送信電力制御用補正値を含むことを要旨とする。
【００１８】
本発明の第４の特徴は、移動局が、複数の無線基地局配下のセルを用いたキャリアアグリゲーションを行うことができるように構成されている移動通信システムであって、前記複数の無線基地局配下のセルの各々における前記移動局の最大送信電力を低減するように構成されていることを要旨とする。
【発明の効果】
【００１９】
以上説明したように、本発明によれば、複数の無線基地局ｅＮＢ配下のセルを用いた「Ｉｎｔｅｒ-ｅＮＢ  ＣＡ」を行う場合に、移動局ＵＥの送信電力制御を適切に行うことができる移動通信システムを提供することができる。
【図面の簡単な説明】
【００２０】
【図１】本発明の第１の実施形態に係る移動通信システムの全体構成図である。
【図２】本発明の第１の実施形態に係る無線基地局ｅＮＢ＃１/ｅＮＢ＃２の機能ブロック図である。
【図３】本発明の第２の実施形態に係る移動通信システムの動作の一例を示すシーケンス図である。
【図４】本発明の第２の実施形態に係る移動通信システムの動作の一例を示すシーケンス図である。
【図５】本発明の第２の実施形態に係る移動通信システムの動作の一例を示すシーケンス図である。
【図６】本発明の第３の実施形態に係る移動局ＵＥの機能ブロック図である。
【図７】従来技術を説明するための図である。
【図８】従来技術を説明するための図である。
【図９】従来技術を説明するための図である。
【発明を実施するための形態】
【００２１】
（本発明の第１の実施形態）
図１及び図２を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００２２】
図１に示すように、本実施形態に係る移動通信システムは、セル＃１を管理する無線基地局ｅＮＢ＃１と、セル＃２Ａ〜＃２Ｃを管理する無線基地局ｅＮＢ＃２とを具備している。
【００２３】
本実施形態に係る移動通信システムにおいて、無線基地局ｅＮＢ＃１は、マスター無線基地局（或いは、マクロ無線基地局）ＭｅＮＢであり、無線基地局ｅＮＢ＃２は、スレーブ無線基地局（或いは、スモール無線基地局）ＳｅＮＢであるものとする。
【００２４】
また、本実施形態に係る移動通信システムにおいて、セル＃１は、マクロセルであり、セル＃２Ａ〜＃２Ｃは、スモールセルであり、セル＃１では、ＣＣ＃１が用いられ、セル＃２Ａ〜＃２Ｃでは、ＣＣ＃２が用いられるものとする。
【００２５】
さらに、本実施形態に係る移動通信システムでは、移動局ＵＥが、無線基地局ｅＮＢ＃１配下のセル＃１（ＣＣ＃１）及び無線基地局ｅＮＢ＃２配下のセル＃２Ａ〜＃２Ｃ（ＣＣ＃２）を用いた「Ｉｎｔｅｒ-ｅＮＢ  ＣＡ」を行うことができるように構成されている。
【００２６】
図２に示すように、本実施形態に係る無線基地局ｅＮＢ＃１/ｅＮＢ＃２は、制御部１１と、受信部１２と、送信部１３とを具備している。
【００２７】
無線基地局ｅＮＢ＃１の制御部１１は、移動局ＵＥとの間の通信に係る制御（例えば、セル＃１における移動局ＵＥに対するスケジューリング制御や送信電力制御）を行うように構成されており、無線基地局ｅＮＢ＃１の受信部１２は、移動局ＵＥや無線基地局ｅＮＢ＃２から各種信号を受信するように構成されており、無線基地局ｅＮＢ＃１の送信部１３は、移動局ＵＥや無線基地局ｅＮＢ＃２に対して各種信号を送信するように構成されている。
【００２８】
無線基地局ｅＮＢ＃２の制御部１１は、移動局ＵＥとの間の通信に係る制御（例えば、セル＃２Ａ〜＃２Ｃにおける移動局ＵＥに対するスケジューリング制御や送信電力制御）を行うように構成されており、無線基地局ｅＮＢ＃２の受信部１２は、移動局ＵＥや無線基地局ｅＮＢ＃１から各種信号を受信するように構成されており、無線基地局ｅＮＢ＃２の送信部１３は、移動局ＵＥや無線基地局ｅＮＢ＃１に対して各種信号を送信するように構成されている。
【００２９】
また、マスター無線基地局ＭｅＮＢである無線基地局ｅＮＢ＃１の制御部１１は、複数の無線基地局ｅＮＢ＃１/ｅＮＢ＃２配下の全てのセル＃１/＃２Ａ〜＃２Ｃにおける移動局ＵＥに対するスケジューリング制御及び送信電力制御を行うように構成されている。
【００３０】
ここで、無線基地局ｅＮＢ＃１は、上述の「Ｉｎｔｅｒ-ｅＮＢ  ＣＡ」を設定する際に、セル＃１/＃２Ａ〜＃２Ｃにおける移動局ＵＥに対するスケジューリングタイミング（スケジューリング機会）を設定するように構成されていてもよい。
【００３１】
なお、かかるスケジューリングタイミングは、サブフレーム（Ｓｕｂｆｒａｍｅ）レベル、無線フレーム（ｒａｄｉｏ-ｆｒａｍｅ）レベル、シンボル（Ｓｙｍｂｏｌ）レベル等の如何なる粒度で表現されていてもよい。
【００３２】
また、無線基地局ｅＮＢ＃１は、ＲＲＣシグナリングやＭＡＣシグナリングを用いて、セル＃１/＃２Ａ〜＃２Ｃにおける移動局ＵＥに対するスケジューリングタイミングを設定するように構成されていてもよい。
【００３３】
なお、無線基地局ｅＮＢ＃２は、無線基地局ｅＮＢ＃１に対して、スケジューリング制御を行うように要求するように構成されていてもよい。
【００３４】
（第２の実施形態）
以下、図３乃至図５を参照して、本発明の第２の実施形態に係る移動通信システムについて、上述の第１の実施形態に係る移動通信システムとの相違点に着目して説明する。
【００３５】
本実施形態に係る移動通信システムでは、無線基地局ｅＮＢ＃１の制御部１１が、自身の配下のセル＃１における移動局ＵＥに対するスケジューリング制御及び送信電力制御を行うように構成されており、無線基地局ｅＮＢ＃２の制御部１１が、自身の配下のセル＃２Ａ〜＃２Ｃにおける移動局ＵＥに対するスケジューリング制御及び送信電力制御を行うように構成されている。
【００３６】
また、本実施形態に係る移動通信システムでは、同一タイミング（例えば、ＴＴＩ：Ｔｒａｎｓｍｉｓｓｉｏｎ  Ｔｉｍｅ  Ｉｎｔｅｒｖａｌ）では、１つの無線基地局ｅＮＢ＃１/ｅＮＢ＃２のみが、移動局ＵＥに対するスケジューリング制御を行うように構成されている。
【００３７】
ここで、本実施形態に係る移動通信システムでは、無線基地局ｅＮＢ＃１と無縁基地局ｅＮＢ＃２との間で、Ｘ２インターフェイスを介して、移動局ＵＥに対するスケジューリング情報が交換されるように構成されていてもよい。
【００３８】
例えば、無線基地局ｅＮＢ＃１と無縁基地局ｅＮＢ＃２との間で、周期的に、かかるスケジューリング情報が交換されるように構成されていてもよいし、移動局ＵＥにおいて各無線基地局ｅＮＢ＃１/ｅＮＢ＃２に対して送信すべき上りリンクデータが発生した際等の所定イベント時に、かかるスケジューリング情報が交換されるように構成されていてもよい。
【００３９】
或いは、本実施形態に係る移動通信システムでは、無線基地局ｅＮＢ＃１と無縁基地局ｅＮＢ＃２との間で、移動局ＵＥを介して、移動局ＵＥに対するスケジューリング情報が交換されるように構成されていてもよい。
【００４０】
ここで、スケジューリング情報には、スケジューリングタイミングに加えて、割り当てたリソースブロックの数等が含まれている。
【００４１】
かかるスケジューリング情報の交換は、ＲＲＣシグナリングやＭＡＣシグナリングによって設定されるように構成されていてもよい。
【００４２】
以下、図３乃至図５を参照して、本実施形態に係る移動通信システムの動作の一例について説明する。
【００４３】
第１に、図３を参照して、本実施形態に係る移動通信システムの動作例１について説明する。
【００４４】
図３に示すように、無線基地局ｅＮＢ＃１は、ステップＳ１００１において、セル＃１における移動局ＵＥに対するスケジューリングを行うと、ステップＳ１００２において、無線基地局ｅＮＢ＃２に対して、かかるスケジューリングに係るスケジューリング情報を送信する。
【００４５】
ステップＳ１００３において、無線基地局ｅＮＢ＃２は、かかるスケジューリング情報に基づいて、空いているスケジューリングタイミングで、自律的に、セル＃２Ａ〜＃２Ｃにおける移動局ＵＥに対するスケジューリングを行う。
【００４６】
また、かかるスケジューリング情報は、所定期間の間のみ有効とされていてもよい。
【００４７】
すなわち、無線基地局ｅＮＢ＃２は、かかるスケジューリング情報が通知されてから所定期間が経過した場合、かかるスケジューリング情報を破棄してもよい。
【００４８】
かかる場合、無線基地局ｅＮＢ＃２は、無線基地局ｅＮＢ＃１に対して、新規のスケジューリング情報を要求してもよい。
【００４９】
第２に、図４を参照して、本実施形態に係る移動通信システムの動作例２について説明する。
【００５０】
図４に示すように、ステップＳ２００１において、無線基地局ｅＮＢ＃１は、無線基地局ｅＮＢ＃２に対して、スケジューリング候補を通知する。
【００５１】
なお、かかるスケジューリング情報は、サブフレームレベル、無線フレームレベル、シンボルレベル等の如何なる粒度で、スケジューリングタイミングを表現してもよい。
【００５２】
無線基地局ｅＮＢ＃２は、ステップＳ２００２において、かかるスケジューリング候補の中から、セル＃２Ａ〜＃２Ｃにおける移動局ＵＥに対するスケジューリングを希望するスケジューリングタイミングを選択し、無線基地局ｅＮＢ＃１に対して通知し、ステップＳ２００３において、かかるスケジューリングタイミングで、セル＃２Ａ〜＃２Ｃにおける移動局ＵＥに対するスケジューリングを行う。
【００５３】
第３に、図５を参照して、本実施形態に係る移動通信システムの動作例３について説明する。
【００５４】
図５に示すように、ステップＳ３００１において、無線基地局ｅＮＢ＃２は、無線基地局ｅＮＢ＃１に対して、セル＃２Ａ〜＃２Ｃにおける移動局ＵＥに対するスケジューリングを希望するスケジューリングタイミングを通知する。
【００５５】
ステップＳ３００２において、無線基地局ｅＮＢ＃１は、スケジューリングタイミングを調整して、無線基地局ｅＮＢ＃２に対して、使用可能なスケジューリングタイミングを通知する。
【００５６】
ステップＳ３００３において、無線基地局ｅＮＢ＃２は、通知されたスケジューリングタイミングで、セル＃２Ａ〜＃２Ｃにおける移動局ＵＥに対するスケジューリングを行う。
【００５７】
（第３の実施形態）
以下、図６を参照して、本発明の第３の実施形態に係る移動通信システムについて、上述の第１及び第２の実施形態に係る移動通信システムとの相違点に着目して説明する。
【００５８】
図６に示すように、本実施形態に係る移動局ＵＥは、受信部２１と、算出部２２と、送信部２３とを具備している。
【００５９】
受信部２１は、無線基地局ｅＮＢ＃１/ｅＮＢ＃２から各種信号を受信するように構成されており、送信部２３は、無線基地局ｅＮＢ＃１/ｅＮＢ＃２に対して各種信号を送信するように構成されている。
【００６０】
算出部２２は、所定変数の変化量を算出するように構成されている。ここで、かかる所定変数には、複数の無線基地局ｅＮＢ＃１/ｅＮＢ＃２配下のセル＃１/＃２Ａ〜＃２Ｃの各々において移動局ＵＥに対して割り当てられたリソースブロックの数ＭＰＵＳＣＨ，ｃ、セル＃１/＃２Ａ〜＃２Ｃの各々における伝搬損ＰＬｃ、セル＃１/＃２Ａ〜＃２Ｃの各々で用いられている変調方式及び符号化率に基づいて決定される電力オフセット値ΔＴＦ，ｃ、セル＃１/＃２Ａ〜＃２Ｃの各々で用いられている閉ループパワコン補正値ｆｃ等が含まれる。
【００６１】
ここで、算出部２２が、かかる所定変数が所定閾値以上変化したことを検出した場合、送信部２３は、無線基地局ｅＮＢ＃１/ｅＮＢ＃２の少なくとも１つに対して、かかる所定変数の変化量を報告するように構成されている。
【００６２】
なお、送信部２３は、算出部２２によって所定変数の各々が所定閾値以上変化したことが検出された場合に、かかる所定変数を報告するように構成されていてもよいし、算出部２２によって所定変数の和が所定閾値以上変化したことが検出された場合に、かかる所定変数を報告するように構成されていてもよい。
【００６３】
例えば、送信部２３は、報告する無線基地局ｅＮＢを限定せずに、すなわち、無線基地局ｅＮＢ＃１/ｅＮＢ＃２の両方に、かかる所定変数の変化量を報告するように構成されていてもよい。
【００６４】
ここで、送信部２３は、算出部２２によって所定変数が所定閾値以上変化したことが検出された場合に、ＰＨＲを送信することによって、かかる所定変数を報告するように構成されていてもよい。
【００６５】
また、送信部２３は、全てのセル＃１/＃２Ａ〜＃２Ｃ（或いは、ＣＣ＃１/ＣＣ＃２）における所定変数の変化量を報告するように構成されていてもよい。
【００６６】
さらに、送信部２３は、周期的に、上述の所定変数の変化量を報告するように構成されていてもよい。
【００６７】
なお、上述の報告を受けた無線基地局ｅＮＢ＃１（或いは、無線基地局ｅＮＢ＃２）は、Ｘ２インターフェイスを介して、かかる報告に含まれている内容について、無線基地局ｅＮＢ＃２（或いは、無線基地局ｅＮＢ＃１）に対して通知するように構成されていてもよい。
【００６８】
或いは、送信部２３は、無線基地局ｅＮＢ＃１/ｅＮＢ＃２の各々に対して、他の無線基地局ｅＮＢに係る所定変数の変化量を報告するように構成されていてもよい。
【００６９】
すなわち、送信部２３は、無線基地局ｅＮＢ＃１に対して、無線基地局ｅＮＢ＃２に係る所定変数の変化量を報告し（無線基地局ｅＮＢ＃１に係る所定変数の変化量を報告せず）、無線基地局ｅＮＢ＃２に対して、無線基地局ｅＮＢ＃１に係る所定変数の変化量を報告する（無線基地局ｅＮＢ＃２に係る所定変数の変化量を報告しない）ように構成されていてもよい。
【００７０】
（第４の実施形態）
以下、本発明の第４の実施形態に係る移動通信システムについて、上述の第１乃至第３の実施形態に係る移動通信システムとの相違点に着目して説明する。
【００７１】
本実施形態に係る移動通信システムでは、セル＃１/＃２Ａ〜＃２Ｃの各々における移動局の最大送信電力ＰＣＭＡＸ，ｃを低減するように構成されている。
【００７２】
例えば、マスター無線基地局ＭｅＮＢである無線基地局ｅＮＢが、セル＃１/＃２Ａ〜＃２Ｃにおける移動局の最大送信電力ＰＣＭＡＸ，ｃを集中して管理するように構成されていてもよい。
【００７３】
なお、セル半径やＱｏＳ等を考慮して、セル＃１/＃２Ａ〜＃２Ｃの各々における移動局の最大送信電力ＰＣＭＡＸ，ｃを決定してもよい。
【００７４】
例えば、セル半径が小さいセル（例えば、セル＃２Ａ〜＃２Ｃ）における移動局の最大送信電力ＰＣＭＡＸ，ｃについては、セル半径が大きいセル（例えば、セル＃１）における移動局の最大送信電力ＰＣＭＡＸ，ｃよりも小さく設定するように構成されていてもよい。
【００７５】
或いは、音声データ等のＱｏＳが高いデータが送信されるセル（又は、セル）における移動局の最大送信電力ＰＣＭＡＸ，ｃについては、ＱｏＳが低いデータが送信されえるセル（又は、ＣＣ）における移動局の最大送信電力ＰＣＭＡＸ，ｃよりも大きく設定するように構成されていてもよい。
【００７６】
また、上述の所定変数の値を制限することによって、移動局の最大送信電力ＰＣＭＡＸ，ｃを低減するように構成されていてもよい。
【００７７】
以上に述べた本実施形態の特徴は、以下のように表現されていてもよい。
【００７８】
本実施形態の第１の特徴は、移動局ＵＥが、複数の無線基地局ｅＮＢ＃１/ｅＮＢ＃２配下のセル＃１/＃２Ａ〜＃２Ｃを用いた「Ｉｎｔｅｒ-ｅＮＢ  ＣＡ（キャリアアグリゲーション）」を行うことができるように構成されている移動通信システムであって、複数の無線基地局ｅＮＢ＃１/ｅＮＢ＃２のうちの特定の無線基地局ｅＮＢ＃１は、複数の無線基地局ｅＮＢ＃１/ｅＮＢ＃２配下の全てのセル＃１/＃２Ａ〜＃２Ｃにおける移動局ＵＥに対するスケジューリング制御及び送信電力制御を行うように構成されていることを要旨とする。
【００７９】
かかる特徴によれば、移動局ＵＥが、無線基地局ｅＮＢ＃１/＃２配下のセル＃１/＃２Ａ〜＃２Ｃを用いた「Ｉｎｔｅｒ-ｅＮＢ  ＣＡ」を行っている場合に、無線基地局ｅＮＢ＃１は、移動局ＵＥにおける送信電力の状況をできるだけ考慮して、移動局ＵＥの送信電力制御を適切に行うことができる。
【００８０】
本実施形態の第１の特徴において、特定の無線基地局ｅＮＢ＃１は、マスター無線基地局ＭｅＮＢであってもよい。
【００８１】
かかる特徴によれば、スレーブ無線基地局ＳｅＮＢが装備すべき機能を複雑にしてしまうという事態を回避することができる。
【００８２】
本実施形態の第２の特徴は、移動局ＵＥが、複数の無線基地局ｅＮＢ＃１/ｅＮＢ＃２配下のセル＃１/＃２Ａ〜＃２Ｃを用いた「Ｉｎｔｅｒ-ｅＮＢ  ＣＡ」を行うことができるように構成されている移動通信システムであって、複数の無線基地局ｅＮＢ＃１/ｅＮＢ＃２の各々は、自身の配下のセル＃１/＃２Ａ〜＃２Ｃにおける移動局ＵＥに対するスケジューリング制御及び送信電力制御を行うように構成されており、複数の無線基地局ｅＮＢ＃１/ｅＮＢ＃２同士で、移動局ＵＥに対するスケジューリング情報が交換されるように構成されており、同一タイミングでは、１つの無線基地局ｅＮＢ＃１/ｅＮＢ＃２のみが、移動局ＵＥに対するスケジューリング制御を行うように構成されていることを要旨とする。
【００８３】
かかる特徴によれば、移動局ＵＥが、無線基地局ｅＮＢ＃１/＃２配下のセル＃１/＃２Ａ〜＃２Ｃを用いた「Ｉｎｔｅｒ-ｅＮＢ  ＣＡ」を行っている場合に、無線基地局ｅＮＢ＃１/ｅＮＢ＃２は、移動局ＵＥにおける送信電力の状況をできるだけ考慮して、移動局ＵＥの送信電力制御を適切に行うことができる。
【００８４】
本実施形態の第２の特徴において、上述のスケジューリング情報は、移動局ＵＥを介して交換されるように構成されていてもよい。
【００８５】
かかる特徴によれば、上述の通知が、無線基地局ｅＮＢ＃１と無線基地局ｅＮＢ＃２との間のバックホール回線を経由することなく送信されるため、上述のスケジューリング情報の交換に対する伝搬遅延を回避することができる。
【００８６】
本実施形態の第２の特徴において、上述のスケジューリング情報は、所定期間の間のみ有効であってもよい。
【００８７】
本実施形態の第３の特徴は、移動局ＵＥが、複数の無線基地局ｅＮＢ＃１/ｅＮＢ＃２配下のセル＃１/＃２Ａ〜＃２Ｃを用いた「Ｉｎｔｅｒ-ｅＮＢ  ＣＡ」を行うことができるように構成されている移動通信システムであって、移動局ＵＥは、所定変数が所定閾値以上変化した場合、複数の無線基地局ｅＮＢ＃１/ｅＮＢ＃２の少なくとも１つに対して、かかる所定変数の変化量を報告するように構成されており、かかる所定変数は、複数の無線基地局ｅＮＢ＃１/ｅＮＢ＃２配下のセル＃１/＃２Ａ〜＃２Ｃの各々において移動局ＵＥに対して割り当てられたリソースブロックの数、セル＃１/＃２Ａ〜＃２Ｃの各々における伝搬損、セル＃１/＃２Ａ〜＃２Ｃの各々で用いられている変調方式及び符号化率に基づいて決定される電力オフセット値、セル＃１/＃２Ａ〜＃２Ｃの各々で用いられている閉ループパワコン補正値（閉ループ送信電力制御用補正値）を含むことを要旨とする。
【００８８】
かかる特徴によれば、移動局ＵＥが、無線基地局ｅＮＢ＃１/＃２配下のセル＃１/＃２Ａ〜＃２Ｃを用いた「Ｉｎｔｅｒ-ｅＮＢ  ＣＡ」を行っている場合に、無線基地局ｅＮＢ＃１/ｅＮＢ＃２は、移動局ＵＥにおける送信電力の状況をできるだけ考慮して、移動局ＵＥの送信電力制御を適切に行うことができる。
【００８９】
本実施形態の第３の特徴において、移動局ＵＥは、複数の無線基地局ｅＮＢ＃１/ｅＮＢ＃２の各々に対して、他の無線基地局ｅＮＢに係る所定変数の変化量を報告するように構成されていてもよい。
【００９０】
かかる特徴によれば、無線基地局ｅＮＢ＃１と無線基地局ｅＮＢ＃２との間で、Ｘ２インターフェイスを介して所定変数の変化量を交換する必要がなくなる。
【００９１】
本実施形態の第４の特徴は、移動局ＵＥが、複数の無線基地局ｅＮＢ＃１/ｅＮＢ＃２配下のセル＃１/＃２Ａ〜＃２Ｃを用いた「Ｉｎｔｅｒ-ｅＮＢ  ＣＡ」を行うことができるように構成されている移動通信システムであって、セル＃１/＃２Ａ〜＃２Ｃの各々における移動局の最大送信電力ＰＣＭＡＸ，ｃを低減するように構成されていることを要旨とする。
【００９２】
かかる特徴によれば、移動局ＵＥが、無線基地局ｅＮＢ＃１/＃２配下のセル＃１/＃２Ａ〜＃２Ｃを用いた「Ｉｎｔｅｒ-ｅＮＢ  ＣＡ」を行っている場合に、無線基地局ｅＮＢ＃１/ｅＮＢ＃２は、移動局ＵＥにおける送信電力の状況をできるだけ考慮して、移動局ＵＥの送信電力制御を適切に行うことができる。
【００９３】
なお、上述の無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ｅＮＢ＃２や移動局ＵＥ内に設けられていてもよい。また、かかる記憶媒体及びプロセッサは、ディスクリートコンポーネントとして無線基地局ｅＮＢ＃１/ｅＮＢ＃２や移動局ＵＥ内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９７】
ＵＥ…移動局
ｅＮＢ＃１/ｅＮＢ＃２…無線基地局
１１…制御部
１２、２３…送信部
１３、２１…受信部
２２…算出部
【図１】
2015080065.tif 000003
【図２】
2015080065.tif 000004
【図３】
2015080065.tif 000005
【図４】
2015080065.tif 000006
【図５】
2015080065.tif 000007
【図６】
2015080065.tif 000008
【図７】
2015080065.tif 000009
【図８】
2015080065.tif 000010
【図９】
2015080065.tif 000011